(57)【要約】【課題】  表示記録媒体の画像の書替えが実際に行われたか否かを確認できるようにした画像書込装置および表示記録媒体を提供する。【解決手段】  画像書込システム１は、筐体１０に納められた媒体ローダ部１０１と、記録部１０２から成る。記録部１０２では、書込部１５に搬入された表示記録媒体２Ａの一対の電極に書込電圧発生部１７から所定の電圧を印加し、書込部１５から表示記録媒体２Ａの画像書込領域に書替え用の画像光を照射する。筐体１０には、表示記録媒体２Ａの画像表示領域を目視できる窓部１０ａが設けられており、表示記録媒体２Ａに対する画像の書替えの瞬間を見ることができる。これにより、書替えが実際に行われたか否かを容易に確認することができる。【選択図】      図１
2006146003.tif 000002
【特許請求の範囲】
【請求項１】
表示記録媒体が無電源で表示する画像を画像信号に応じて書き替える画像書込装置において、
前記表示記録媒体を収容する筐体と、
前記筐体に収容された前記表示記録媒体の前記画像を前記画像信号に応じて書き替える記録部と、
前記記録部により前記画像が書き替えられたことを前記筐体の外部に表示する表示部とを備えたことを特徴とする画像書込装置。
【請求項２】
前記表示部は、前記画像の書替えの瞬間を前記筐体の外部から直接又は間接に目視し得るように前記筐体に設けられた書替え確認用窓を備えたことを特徴とする請求項１に記載の画像書込装置。
【請求項３】
前記表示部は、前記画像が書き替えられたことを光、音あるいは振動によって表示することを特徴とする請求項１に記載の画像書込装置。
【請求項４】
前記表示部は、前記記録部による前記画像の書替えのエネルギーの一部を利用して前記画像が書き替えられたことを特徴とする請求項１に記載の画像書込装置。
【請求項５】
前記筐体は、前記筐体内で前記表示記録媒体を前記記録部によって書き替えられる位置に供給する供給部と、前記供給部に位置する前記表示記録媒体の前記画像を初期化する初期化部とを備え、
前記表示部は、前記初期化部により前記表示記録媒体が初期化されたことを前記筐体の外部に表示することを特徴とする請求項１に記載の画像書込装置。
【請求項６】
前記表示部は、前記初期化の瞬間を前記筐体の外部から直接又は間接に目視し得るように前記筐体に設けられた初期化確認用窓を備えたことを特徴とする請求項５に記載の画像書込装置。
【請求項７】
前記表示記録媒体は、一対の電極間に液晶層と光導電層を積層した構成を有し、
前記記録部は、前記一対の電極間に電圧を印加する電圧印加部と、前記光導電層に前記画像信号に応じた画像光を照射する書込部とを備えたことを特徴とする請求項１に記載の画像書込装置。
【請求項８】
前記書込部は、前記画像光を出射する液晶ディスプレイであることを特徴とする請求項７に記載の画像書込装置。
【請求項９】
前記書込部は、前記画像光を出射するプロジェクタであることを特徴とする請求項７に記載の画像書込装置。
【請求項１０】
前記表示部は、前記画像の書替え時に前記表示記録媒体の前記一対の電極間に印加される前記電圧を検出する電圧検出部を備え、前記電圧検出部による前記電圧の検出に基づいて前記画像が書き替えられたことを表示することを特徴とする請求項７に記載の画像書込装置。
【請求項１１】
前記表示部は、前記画像の書替え時に前記表示記録媒体に照射される前記画像光を検出する光検出部を備え、前記光検出部による前記画像光の検出に基づいて前記画像が書き替えられたことを表示することを特徴とする請求項７に記載の画像書込装置。
【請求項１２】
画像の書替えが可能で、書き込まれた画像を無電源で表示する画像表示領域を有する表示記録媒体において、
前記画像表示領域の一部を拡張して、あるいは前記画像表示領域から離れた位置に設けられ、前記画像表示領域と同様の構造の書替え確認用表示領域を備えたことを特徴とする表示記録媒体。
【請求項１３】
前記画像表示領域および前記書替え確認用表示領域は、前記画像の書替え時に電圧が印加される一対の電極間に、液晶層と光導電層を積層した構成を有することを特徴とする請求項１２に記載の表示記録媒体。
【請求項１４】
前記一対の電極に印加された前記電圧を検出する一対の電圧印加確認用の電極を備えたことを特徴とする請求項１３に記載の表示記録媒体。
【発明の詳細な説明】
【技術分野】
【０００１】
本発明は、表示記録媒体が無電源で表示する画像を画像信号に応じて書き替える画像書込装置、およびその画像書込装置によって画像が書き込まれる表示記録媒体に関し、特に、表示記録媒体の画像の書替えが実際に行われたか否かを確認できるようにした画像書込装置および表示記録媒体に関する。
【背景技術】
【０００２】
近年、表示記録媒体として、紙媒体や電子ディスプレイデバイスの他に、電子ディスプレイの長所と紙の長所を併せ持った表示記録媒体あるいはデジタルペーパと称せられる表示記録媒体が注目されている。
【０００３】
この表示記録媒体は、表示に関してメモリ性を有することから、情報の書替え時のみ画像書込装置により書込みのエネルギーを与えるだけで良く、表示を維持するエネルギー付与は不要である。従って、情報の書込み後に画像書込装置から表示記録媒体のみを切り離し、紙媒体のように手軽に持ち運んだり、重ねたり、並べたり、手に持って情報を読むことができる。
【０００４】
上記のようなメモリ性を有する表示記録媒体として、光の照射と電圧の印加によって画像が可視的かつ消去自在にメモリされる光書込型表示記録媒体、及びこの表示記録媒体に画像を書き込む画像書込装置が知られている(例えば、特許文献１参照)。
【０００５】
この特許文献１に記載された表示記録媒体は、一対の透明電極間に、液晶層と、光の照射によって抵抗値が変化する光導電層とが積層されたものである。また、その表示記録媒体に画像を書き込む画像記録装置は、液晶パネルから２次元的な光パターンを２次元マイクロレンズアレイを介して表示記録媒体の光導電層に結像するように照射し、光導電層に光パターンに基づく抵抗分布を生じさせ、透明電極間に受電部を介して電圧を印加して、光導電層の抵抗分布に基づく分圧分布を液晶層に印加し、分圧分布に応じた画像を液晶層に記録するものである。
【０００６】
この光書込型表示記録媒体の画像書込装置によれば、一対の電極全体に電圧を印加しながら画像情報を面状に露光することで印字が可能なため、ライン露光や走査露光などに比べ、大容量の画像情報を高速に書き込むことが可能となる。
【０００７】
【特許文献１】特開２００１−３０１２３３号公報（［００３１］〜［００４３］、図１、図２）
【発明の開示】
【発明が解決しようとする課題】
【０００８】
しかし、従来の画像書込装置によると、紙に印字する通常のプリンタ等とは異なり、既に表示があるものに対して別の情報を上書きするというプロセスをとるため、上書きによる書替えがなされたのか、あるいは書替えがなされずに元の情報が消えずに残っている状態なのかを、表示記録媒体が画像書込装置から排出された後でなければ確認することができないという問題があった。
【０００９】
また、書替えの前と後の画像が似ている場合には、その差異を見分けられないことがあり、書替えの成否を判断できないことがある。
【００１０】
従って、本発明の目的は、表示記録媒体の画像の書替えが実際に行われたか否かを確認できるようにした画像書込装置および表示記録媒体を提供することにある。
【課題を解決するための手段】
【００１１】
本発明は、上記目的を達成するため、表示記録媒体が無電源で表示する画像を画像信号に応じて書き替える画像書込装置において、前記表示記録媒体を収容する筐体と、前記筐体に収容された前記表示記録媒体の前記画像を前記画像信号に応じて書き替える記録部と、前記記録部により前記画像が書き替えられたことを前記筐体の外部に表示する表示部とを備えたことを特徴とする画像書込装置を提供する。
【００１２】
記録部が筐体内で表示記録媒体の画像を書き替えると、表示部はその画像が書き替えられたことを表示するので、書替え前と後とで画像が似ていても書替えが行われたことを認識することができる。
【００１３】
メモリ性を有する上記表示記録媒体としては、光の照射と電圧の印加によって画像が書き替えられる光書込型表示記録媒体、ロイコ染料を用いた感熱記録媒体や、強誘電液晶に代表されるメモリ性を有する液晶、帯電した粒子を移動させて表示を切り替える電気泳動方式、帯電した粒子を回転させて表示を切り替える粒子回転方式、磁気により粒子を移動させて表示を切り替える磁気泳動方式を用いたものなど各種の表示記録媒体が含まれる。
【００１４】
書替え後の画像には、初期化した画像や書替え前と同一の画像も含まれる。
【００１５】
上記表示部は、画像の書替えの瞬間を筐体の外部から直接又は間接に目視し得るように筐体に設けられた書替え確認用窓を備えた構成としてもよい。この構成によれば、信号線を用いないため、ノイズ等の誤動作による表示ミスを防ぐことができる。間接とは、反射鏡、光ファイバ等の光学系を介して目視する場合をいい、直接とはそのような光学系を介さずに目視する場合をいう。
【００１６】
上記表示部は、画像が書き替えられたことを光、音あるいは振動によって表示してもよい。筐体内の構造が複雑なために、上記書替え確認用窓を筐体に設けることができない場合に有効な方法である。
【００１７】
上記表示部は、記録部による画像の書替えのエネルギーの一部を利用して画像が書き替えられたことを表示してもよい。これにより、書替え表示用の機構を容易に構成することができる。
【００１８】
上記筐体は、筐体内で表示記録媒体を記録部によって書き替えられる位置に供給する供給部と、供給部に位置する表示記録媒体の画像を初期化する初期化部とを備え、上記表示部は、初期化部により表示記録媒体が初期化されたことを筐体の外部に表示してもよい。
画像の書替え前に初期化することにより、画像の書替えを確実に行うことができ、画質劣化を防ぐことができるなどの効果がある。このようなことから、初期化されたことを表示している。
【００１９】
上記表示部は、初期化の瞬間を筐体の外部から直接又は間接に目視し得るように筐体に設けられた初期化確認用窓を備えた構成としてもよい。この構成によれば、信号線を用いないため、ノイズ等の誤動作による表示ミスを防ぐことができる。
【００２０】
上記表示記録媒体は、一対の電極間に液晶層と光導電層を積層した構成を有し、上記記録部は、一対の電極間に電圧を印加する電圧印加部と、光導電層に画像信号に応じた画像光を照射する書込部とを備えた構成としてもよい。
【００２１】
上記書込部としては、液晶ディスプレイを用いてもよく、プロジェクタを用いてもよい。液晶ディスプレイを用いた場合は、結像光学系を用いずに液晶ディスプレイを表示記録媒体に密着して配置することができることから、装置の小型化を図ることができる。また、プロジェクタを用いた場合は、焦点深度が深いため、プロジェクタの配置に自由度があることから、構成の自由度が高くなる。また、液晶ディスプレイ、ＣＲＴディスプレイ、プラズマディスプレイ等の表示装置と結像光学系を組みあわせた投影装置により画像光を表示記録媒体に結像させてもよい。
【００２２】
上記表示部として、画像の書替え時に表示記録媒体の一対の電極間に印加される電圧を検出する電圧検出部を備え、電圧検出部による電圧の検出に基づいて画像の書替えを表示する構成としてもよい。電極接触不良、電圧低下等のトラブルによる書替えミスを検出することができる。
【００２３】
上記記表示部は、画像の書替え時に表示記録媒体に照射される画像光を検出する光検出部を備え、光検出部による画像光の検出に基づいて画像の書替えを表示する構成としてもよい。画像光を出射するデバイス不良、寿命等による書替えミスを検出することができる。
【００２４】
本発明は、上記目的を達成するため、画像の書替えが可能で、書き込まれた画像を無電源で表示する画像表示領域を有する表示記録媒体において、前記画像表示領域の一部を拡張して、あるいは前記画像表示領域から離れた位置に設けられ、前記画像表示領域と同様の構造の書替え確認用表示領域を備えたことを特徴とする表示記録媒体を提供する。
【００２５】
書替え確認用表示領域を画像表示領域と同様の構造とすることにより、その製造が容易となる。また、書替え確認用表示領域を画像表示領域より小さい面積とすることにより、表示記録媒体のサイズがそれほど大きくならなくて済む。また、画像書込装置側は大きな窓部を必要としない構成にすることもできる。
【００２６】
上記画像表示領域および書替え確認用表示領域は、画像の書替え時に電圧が印加される一対の電極間に、液晶層と光導電層を積層した構成を有するものとしてもよい。
【００２７】
上記一対の電極に印加された電圧を検出する一対の電圧印加確認用の電極を備えた構成としてもよい。一対の電圧印加確認用の電極に接触する電極を画像書込装置側に設け、電圧の検出結果を表示することにより、書替えが確実に行われたことを認識することができる。
【発明の効果】
【００２８】
本発明によれば、表示記録媒体の画像の書替えが実際に行われたか否かを確認することができる。
【発明を実施するための最良の形態】
【００２９】
[第１の実施の形態]
(画像書込システムの構成)
図１は、本発明の第１の実施の形態に係る画像書込システムを示す。この画像書込システム１は、書替え対象の表示記録媒体２Ａを所定の方向へ搬送する供給部としての媒体ローダ部１０１、及びこの媒体ローダ部１０１に隣接して設けられ、媒体ローダ部１０１からの表示記録媒体２Ａに書込みを行う記録部１０２を備えた画像書込装置１００と、この画像書込装置１００に装填して書込みが行われる表示記録媒体２Ａとからなる。
【００３０】
画像書込装置１００は、媒体ローダ部１０１と記録部１０２に共用される筐体１０を備え、表示記録媒体２Ａが書込位置にあるとき、その表面２ａの大部分を目視することが可能な書替え確認用窓としての窓部１０ａを上面に有し、さらに側面には書込みが終了した表示記録媒体２Ａを外部に排出するための排出口１０ｂを有している。なお、表示記録媒体２Ａを媒体ローダ部１０１に装填するための挿入口（図示せず）が筐体１０に設けられている。
【００３１】
媒体ローダ部１０１は、筐体１０の片側の内部に立設した電磁ソレノイド１１と、電磁ソレノイド１１のアーマチュア１１ａの上端に水平に取り付けられるとともに１又は複数の表示記録媒体２Ａを載置する載置台１２と、最上面の表示記録媒体２Ａを搬送する搬送ローラ１３Ａとを備える。
【００３２】
記録部１０２は、押圧ローラ１３Ａの下側に設置した搬送ローラ１３Ｂと、書込み（書替え）が終了した表示記録媒体２Ａを排出するための搬送ローラ１３Ｃと、搬送ローラ１３Ａの後段に設置した押圧ローラ１４Ａと、排出する表示記録媒体２を搬送ローラ１３Ｃに押圧する押圧ローラ１４Ｂと、窓部１０ａに面して配設されるとともに載置台１２から搬送されてきた表示記録媒体２Ａに書込パターン光を照射する書込部１５と、書込部１５上の表示記録媒体２Ａの受電部に所定の電圧を印加する一対の書込電圧印加電極１６と、書込電圧印加電極１６に所定の電圧を印加する書込電圧発生部１７と、電磁ソレノイド１１、ローラ１３Ａ，１３Ｂ，１４Ａ，１４Ｂ、書込部１５、及び書込電圧発生部１７を制御する制御部１８と、押圧ローラ１４Ａ，１４Ｂに附勢力を付与するスプリング１９Ａ，１９Ｂとを備える。なお、書込電圧印加電極１６、書込電圧発生部１７、及び制御部１８により、電圧印加部を構成している。
【００３３】
筐体１０は、表示記録媒体２Ａを載置台１２上に搬入できるように、或いは、搬送トラブルが生じた表示記録媒体２Ａを取り出せるように、上面全体が開閉できる構成が望ましい。
【００３４】
電磁ソレノイド１１は、制御部１８の制御に基づいて、表示記録媒体２Ａの厚み相当分を段階的に上昇できるように構成されている。
【００３５】
搬送ローラ１３Ａ，１３Ｂ，１３Ｃは、その回転及び停止の制御が制御部１８によってなされる。押圧ローラ１４Ａ，１４Ｂは、表示記録媒体２Ａを介挿した状態でスプリング１９Ａ，１９Ｂの附勢力により搬送ローラ１３Ｂ，１３Ｃを押圧する。
【００３６】
書込部１５は、液晶ディスプレイ（ＬＣＤ）、プラズマディスプレイ（ＰＤＰ）、エレクトロルミネッセンスディスプレイ（ＥＬＤ）、蛍光表示管ディスプレイ（ＶＦＤ）、電界放出ディスプレイ（ＦＥＤ）等による表示パネルを備えて構成されている。表示パネルに液晶ディスプレイ（ＬＣＤ）を用いた場合には、さらに白色ＬＥＤ（発光ダイオード）や冷陰極管等によるバックライトを備える。
【００３７】
書込電圧印加電極１６は、図示せぬ押圧手段によって書替え時に下方に附勢され、書込位置に搬入された表示記録媒体２Ａの受電部に接触する。
【００３８】
書込電圧発生部１７は、制御部１８の制御の下に、書込み（書替え）時に、表示記録媒体２Ａ内の一対の透明電極に印加するための電圧を発生する。
【００３９】
制御部１８は、ＣＰＵ、プログラムが格納されたＲＯＭ（リード・オンリー・メモリ）、データを一時的に記憶するＲＡＭ（ランダム・アクセス・メモリ）、インターフェース回路等を備えるほか、書込み（書替え）に用いられる画像データを格納したハードディスク、半導体メモリ等による記憶部を備える。また、図示を省略しているが、ユーザが入力設定等の操作を行うための操作部も接続されている。
【００４０】
（表示記録媒体の構成）
図２は、表示記録媒体２Ａの構成を示す。この表示記録媒体２Ａは、対向配置したＰＥＴ（ポリエチレンテレフタレート）フィルムからなる一対の透明な基板２０１Ａ，２０１Ｂと、一対の基板２０１Ａ，２０１Ｂの内側に設けられたＩＴＯ（インジウム錫酸化物）からなる一対の透明電極２０２Ａ，２０２Ｂと、透明電極２０２Ａの内側に設けられるとともに透明電極２０２Ａ，２０２Ｂへの印加電圧に応じて反射率（透過率）が変化するコレステリック液晶からなる液晶層２０３と、透明電極２０２Ｂの内側に配設され、書込パターン光３０の画像書込領域２ｃへの照射によって抵抗値が小さくなるように形成された光導電層２０４と、液晶層２０３と光導電層２０４の間に設けられた光吸収層２０５と、透明電極２０２Ｂから表面２ａ側に延在する延在部２０６と、透明電極２０２Ａ，２０２Ｂに接続するように形成された一対の受電部２０７と、基板２０１Ａ，２０１Ｂ間を埋めるように充填された樹脂充填部２０８とを備える。なお、一対の受電部２０７は、紙面に垂直な方向に所定の間隔をもって配置されている。
【００４１】
(画像書込システムの動作)
次に、図１及び図２を参照して、画像書込システム１の動作について説明する。まず、ユーザが載置台１２上に、書替えをしたい表示記録媒体２Ａをセットする。次に、ユーザが図示しない操作部を操作して制御部１８を動作させることにより搬送ローラ１３Ａ，１３Ｂ，１３Ｃが回転し、表示記録媒体２Ａを載置台１２上から図１の右方向へ水平に搬送する。
【００４２】
搬送された表示記録媒体２Ａは、書込部１５に到達し、その先端部が搬送ローラ１３Ｃと押圧ローラ１４Ｂで挟持されたことを図示せぬセンサが検知すると、制御部１８は搬送ローラ１３Ａ〜１３Ｃを停止させる。次に、制御部１８は、一対の書込電圧印加電極１６を表示記録媒体２Ａの一対の受電部２０７に接触させ、書込部１５と書込電圧発生部１７を動作させるる。
【００４３】
次に、書込電圧発生部１７から書込電圧印加電極１６を介して表示記録媒体２Ａの一対の受電部２０７に電圧を印加するとともに、制御部１８内の記憶部から画像データを読み出して書込部１５に書込信号を供給する。書込部１５は、書込信号に基づいた書込パターン光３０を生成し、表示記録媒体２Ａの画像書込領域２ｃに照射する。
【００４４】
表示記録媒体２Ａにおいては、画像書込領域２ｃに照射された書込パターン光３０が、基板２０１Ｂ、透明電極２０２Ｂ、光導電層２０４、光吸収層２０５を順次通過し、液晶層２０３に到達する。
【００４５】
光導電層２０４は、光が照射された部分の抵抗値が小さくなり、それにより、光導電層２０４とのインピーダンス比で決まる液晶層２０３の分圧が増加し、液晶層２０３における光反射率が大きくなる。従って、表示記録媒体２Ａの表面２ａに照明光３２が照射されているとき、液晶層２０３の書込パターン光３０が照射された領域は、反射率が大きくなるために照明光３２が反射して白く見え、書込パターン光３０が照射されなかった領域は、照明光３２が液晶層２０３を透過して光吸収層２０５で吸収されるために黒く見える状態の表示光３１をＥ方向から画像として見ることができる。この画像は、受電部２０７への電圧印加が消失した後でも、長時間保持される。
【００４６】
表示記録媒体２Ａへの書替えの状況は、窓部１０ａを通して見ることができる。窓部１０ａを通して見える画像表示領域２ｄの画像が、書替えのタイミングで瞬時に変化し、画像に変化が生じるのを目視できれば、書替えが正常に行われたことが分かる。一方、画像が書替え前の内容と同じであれば、何らかの理由で書替えが行われなかったことが分かる。
【００４７】
書込部１５による表示記録媒体２Ａへの書替え動作が終了すると、制御部１８は搬送ローラ１３Ｃを回転させ、表示記録媒体２Ａを排出口１０ｂへ送り出し、筐体１０の外へ排出する。なお、画像の書替えが失敗した表示記録媒体２Ａに対しては、再度、載置台１２へセットして書替えを試みる。
【００４８】
（第１の実施の形態の効果）
この第１の実施の形態によれば、以下の効果を奏する。
（イ）書替えの瞬間を目視できるため、書替えが正常に行われたか否かを容易に確認することができる。
（ロ）書替えの瞬間を確認できるようにする構成は、筐体１０に窓部１０ａを設けるのみでよいため、簡単な構成で済ますことができ、コストアップを防止することができる。
（ハ）表示記録媒体２Ａは、在来品をそのまま使用できるため、新規に用意することなく、使い回すことができる。
【００４９】
[第２の実施の形態]
図３は、本発明の第２の実施の形態に係る画像書込システムを示す。この実施の形態は、第１の実施の形態において、書替えの前に、載置台１２において表示記録媒体２のリフレッシュを行えるようにしたものであり、その他の構成及び書替え動作は、第１の実施の形態と同様である。
【００５０】
この画像書込システム１は、載置台１２の上方に、最上面の表示記録媒体２Ａの一対の受電部２０７に当接する一対のリフレッシュ電極２０が配置され、このリフレッシュ電極２０には、制御部１８によって制御されるリフレッシュ電圧発生部２１が接続されている。ここで、制御部１８、リフレッシュ電極２０、及びリフレッシュ電圧発生部２１は、初期化部を構成している。
【００５１】
また、載置台１２に対向する筐体１０は、ヒンジ１０ｅで軸支された蓋１０ｃを上面に有し、さらに、蓋１０ｃは表示記録媒体２Ａの上面を目視できる初期化確認用窓としての窓部１０ｄを有している。
【００５２】
次に、第２の実施の形態における画像書込システム１の動作を説明する。まず、ユーザが蓋１０ｃを開けて、所要枚数の表示記録媒体２Ａを載置台１２にセットし、蓋１０ｃを閉じる。次に、ユーザが図示しない操作部を操作して制御部１８にリフレッシュの実行を指示すると、リフレッシュ電圧発生部２１は、リフレッシュ電極２０に所定の電圧を印加し、最上面の表示記録媒体２Ａの一対の受電部２０７にリフレッシュ電圧を印加する。
【００５３】
（第２の実施の形態の効果）
この第２の実施の形態によれば、書込みの前に行ったリフレッシュが、実際に行われたか否かを確認することができるため、次段で行われる書替えが正常に行われるか否かを事前に把握することができる。その他の効果は、第１の実施の形態と同様である。
【００５４】
[第３の実施の形態]
図４は、本発明の第３の実施の形態に係る画像書込システムを示す。この実施の形態は、第２の実施の形態において、書込パターン光の照射方向と見る方向が同じタイプの表示記録媒体２Ｂに対応したもので、書込部１５を表示記録媒体２Ｂの上側に配置するとともに書込部１５に対向して受け台４１を配置し、窓部１０ａを有しない構成を有しており、その他の構成は第２の実施の形態と同様である。
【００５５】
図５は、表示記録媒体２Ｂの層構成を示す。この表示記録媒体２Ｂは、図２の表示記録媒体２Ａにおいて、光吸収層２０５を透明電極２０２Ｂの内側に配設し、さらに液晶層２０３と光導電層２０４の間に隔離層２０９を追加したものであり、その他の構成は図２と同様である。
【００５６】
この表示記録媒体２Ｂは、表面２ａ側から画像書込表示領域２ｅに書込パターン光３０が照射され、更に、書込電圧発生部１７から所定の電圧が書込電圧印加電極１６を介して一対の受電部２０７に印加されることによって画像が書き込まれる。書き込まれた画像は、画像書込装置１００から排出された後、図５に示す方向Ｅから見ることができる。
【００５７】
次に、第３の実施の形態における画像書込システム１の動作を説明する。まず、ユーザが蓋１０ｃを開けて、所要枚数の表示記録媒体２Ｂを載置台１２にセットし、蓋１０ｃを閉じる。次に、ユーザが図示しない操作部を操作して制御部１８にリフレッシュの実行を指示すると、リフテッシュ電圧発生部２１はリフレッシュ電極２０に所定の電圧を印加し、最上面の表示記録媒体２Ｂの一対の受電部２０７にリフレッシュ電圧を印加する。
【００５８】
このリフレッシュ動作においては、書き込まれていた画像が瞬間的に消去される状況を窓部１０ｄを通して目視することができる。また、画像書込表示領域２ｅの表示内部に何らの変化もなければ、リフレッシュが行えなかったことを把握できる。この場合、再度、リフレッシュを試みる。
【００５９】
リフレッシュが済んだ場合、ユーザが操作部を操作して書替えの指示を出すと、制御部１８は、載置台１２上の最上面の表示記録媒体２Ｂを、媒体ローダ部１０１側から記録部１０２側へ搬送する。載置台１２から表示記録媒体２Ｂが受け台４１上に搬入される。この搬入された表示記録媒体２Ｂに対し、書込電圧発生部１７から書込電圧印加電極１６を介して表示記録媒体２Ｂの一対の受電部２０７に電圧を印加し、書込部１５は、制御部１８からの書込信号に基づいた書込パターン光３０を画像書込表示領域２ｅに照射する。
【００６０】
表示記録媒体２Ｂでは、画像書込表示領域２ｅに書込パターン光３０が照射されると、この書込パターン光３０は、基板２０１Ａ、透明電極２０２Ａ、液晶層２０３、隔離層２０９を順次通過し、光導電層２０４を照射する。
【００６１】
光導電層２０４は、光が照射された部分の抵抗値が小さくなり、それにより、光導電層１５とのインピーダンス比で決まる液晶層２０３の分圧が増加し、液晶層２０３における光反射率が大きくなる。従って、表示記録媒体２Ｂの画像書込表示領域２ｅを表面２ａ側から見た場合、光が照射された領域は液晶層２０３で反射して白く見え、光が照射されていない領域は液晶層２０３を通過して光吸収層２０５で吸収されるために黒く見える。これにより、可視像として見ることが可能な画像が記録される。この画像は、受電部２０７への電圧印加が消失した後でも、長時間保持される。
【００６２】
書込部１５による表示記録媒体２Ｂへの書替え動作が終了すると、制御部１８は搬送ローラ１３Ｃを回転させ、表示記録媒体２Ｂを排出口１０ｂへ送り出し、表示記録媒体２Ｂを筐体１０の外へ排出する。
【００６３】
（第３の実施の形態の効果）
この第３の実施の形態によれば、書込パターン光３０の方向と見る方向Ｅが同一である表示記録媒体２Ｂに対しても、画像書替えが行えるとともに、リフレッシュの成否を知ることができる。その他の効果は、第２の実施の形態と同様である。
【００６４】
[第４の実施の形態]
図６は、本発明の第４の実施の形態に係る画像書込システムを示す。この実施の形態は、図５と同様の層構造の表示記録媒体２Ｃを対象にするとともに、第１の実施の形態において、大きな窓部１０ａに代えて押圧ローラ１４Ｂの上部に開口の小さな窓部１０ｆを設け、書込部１５を第３の実施の形態と同様に表示記録媒体２Ｃの表面２ａから書き込む構成にしたものであり、その他の構成は第１の実施の形態と同様である。
【００６５】
図７は、表示記録媒体２Ｃの表面２ａの詳細を示し、同図中、（ａ）は平面図、（ｂ）は断面図である。この表示記録媒体２Ｃは、画像書込表示領域２ｅに隣接させて書替画像を確認するための確認エリア３ａを、筐体１０の窓部１０ｆに対向する位置に形成している。この確認エリア３ａは、画像書込表示領域２ｅの層構造と同じであり、画像書込表示領域２ｅから幅Ｌを突出（拡張）させた構成になっている。
【００６６】
次に、第４の実施の形態の動作を説明する。なお、媒体ローダ部１０１から記録部１０２へ表示記録媒体２Ｃを搬送する動作、書込（書替）動作、及び表示記録媒体２Ｃの排出動作は、第１の実施の形態と同様であるので、説明を省略する。表示記録媒体２Ｃが書込部１５に到達し、書込電圧発生部１７から書込電圧印加電極１６を介して表示記録媒体２Ｃの一対の受電部２０７に電圧を印加するとともに、書込部１５から書込パターン光を照射すると、この書込部１５による書替えの瞬間に、確認エリア３ａの画像が白黒反転する様子を窓部１０ｆを通して見ることができ、確認エリア３ａに白黒反転が生じれば、表示記録媒体２Ｃへの書替えが、正常に終了したことを把握できる。
【００６７】
（第４の実施の形態の効果）
この第４の実施の形態によれば、窓部１０ｆを通して確認エリア３ａを見ることにより、書替えの瞬間を目視できるため、表示記録媒体２Ｃの書替えが正常に行われたか否かを容易に確認することができる。
【００６８】
[第５の実施の形態]
図８は、本発明の第５の実施の形態に係る画像書込システムを示す。この実施の形態は、第４の実施の形態において、書込部１５と押圧ローラ１４Ｂとの間に電圧印加確認電極２２を配設し、この電圧印加確認電極２２に駆動回路２３を接続し、さらに駆動回路２３に光源としてのＬＥＤ（発光ダイオード）２４を接続し、また、表示記録媒体２Ｃに代えて検出部を備えた表示記録媒体２Ｄを用いる構成にしたものであり、その他の構成は第４の実施の形態と同様である。ここで、電圧印加確認電極２２、駆動回路２３、及びＬＥＤ２４は、電圧検出部を構成している。なお、ＬＥＤ２４に代えて電球、ＥＬなどを用いてもよい。
【００６９】
図９は、表示記録媒体２Ｄの構成を示し、図７に示す表示記録媒体２Ｃの確認エリア３ａを設けた場所に一対の電圧印加確認電極２２に接触する一対の検出部４ａを配置し、この検出部４ａに隣接させて、図７に示す確認エリア３ａと同様の確認エリア４ｂを設けている。
【００７０】
次に、第５の実施の形態の動作を説明する。図８において、媒体ローダ部１０１から記録部１０２に表示記録媒体２Ｄが搬入された後、書込部１５によって表示記録媒体２Ｄに書込みが行われるが、その際、受電部２０７に電圧が印加されると、透明電極２０２Ａ，２０２Ｂを通して検出部４ａにも電圧が発生する。検出部４ａに発生した電圧は、電圧印加確認電極２２を介して駆動回路２３に印加される。この駆動回路２３は、検出部４ａの検出出力を増幅して出力電圧を発生させ、或いは、検出部４ａの出力をトリガにして出力電圧を発生させてＬＥＤ２４を点灯する。ＬＥＤ２４の点灯により、窓部１０ｆを通して表示記録媒体２Ｄの書替えが行われたことを認識することができる。
【００７１】
（第５の実施の形態の効果）
この第５の実施の形態によれば、ＬＥＤ２４の点灯の有無により書替えの成否を知ることができるため、表示記録媒体２Ｄの書替えが正常に行われたか否かを容易に確認することができる。
【００７２】
なお、第５の実施の形態においては、ＬＥＤ２４を筐体１０の表面に設けることにより、筐体１０に窓部１０ｆを有しない構成にすることもできる。
【００７３】
[第６の実施の形態]
図１０は、本発明の第６の実施の形態に係る画像書込システムを示す。この実施の形態は、第５の実施の形態において、ＬＥＤ２４に代えて、音源（電気−音響変換部材）としてのブザー２５を用いたものであり、その他の構成は第５の実施の形態と同様である。なお、ブザー２５に代えて、スピーカからチャイム音やメロディー、「書込終了しました」のようなメッセージを出力する構成にしてもよい。
【００７４】
この第６の実施の形態によれば、ブザー２５による警報の有無により書替えの成否を知ることができるため、例えば、画像書込装置１００の方を見なくとも、他の作業をしながら表示記録媒体２Ｄの書替えが正常に行われたか否かを確認することができる。
【００７５】
[第７の実施の形態]
図１１は、本発明の第７の実施の形態に係る画像書込システムを示す。本実施の形態における画像書込装置５００は、上面に窓部５ａを有し、側面に排出口５ｂを有する筐体５１と、この筐体５１の天井部に設置されたプロジェクタ５２と、プロジェクタ５２の光照射範囲に設置するとともに、図５に示した表示記録媒体２Ｂが上面に載置される載置台５３Ａと、アーマチュア５４ａによって載置台５３Ａの下面を固定した状態で載置台５３Ａを所定高さ毎に上昇させる電磁ソレノイド５４と、書込みの済んだ表示記録媒体２Ｂを搬送する搬送ローラ５５Ａと、搬送ローラ５５Ａからの表示記録媒体２Ｂを排出口５ｂへ搬送する搬送ローラ５５Ｂと、スプリング５６ａの附勢力によって表示記録媒体２Ｂを搬送ローラ５５Ｂ側へ押圧する押圧ローラ５６と、載置台５３Ａ上の最上面の表示記録媒体２Ｂの一対の受電部２０７に接触する一対の書込電圧印加電極５７と、この書込電圧印加電極５７に書込電圧を印加する書込電圧発生部５８と、この装置１の各部を制御する制御部５９とを備える。
【００７６】
次に、第７の実施の形態の画像書込システム１の動作について説明する。まず、ユーザが画像書込装置５００の載置台５３Ａの上面に表示記録媒体２Ｂをセットする。次に、制御部５９は、最上面の表示記録媒体２Ｂの受電部２０７が書込電圧印加電極５７に接触するまで、電磁ソレノイド５４を上昇させる。適正位置に到達したか否かは、図示せぬセンサによって検出し、この検出に基づいて制御部５９が電磁ソレノイド５４への通電を停止する。
【００７７】
次に、制御部５９は、書込電圧発生部５８とプロジェクタ５２を起動し、書込電圧印加電極５７に所定の電圧を印加するとともに、制御部５９内の記憶部から読み出した画像データをプロジェクタ５２へ出力する。プロジェクタ５２は、画像データに基づいて書込パターン光３０を最上面の表示記録媒体２Ｂの画像書込表示領域２ｅに照射して書替えを行う。書替えの状況は、窓部５ａを通して見ることができる。書替えの処理にともなって画像が瞬間的に変化すれば、書替えが正常に行われたことを確認することができる。
【００７８】
（第７の実施の形態の効果）
この第７の実施の形態によれば、プロジェクタ５２を光源に用いているため、表示記録媒体２Ｂのサイズ変更に柔軟に対応することができる。しかも、窓部５ａを通して表示記録媒体２Ｂの書替えの成否を知ることができる。
【００７９】
なお、プロジェクタ５２は、これに代えてＣＲＴディスプレイ、プラズマディスプレイ等の表示装置と結像光学系を組みあわせた投影装置により画像光を表示記録媒体２Ｂの画像書込表示領域２ｅに結像させてもよい。
【００８０】
[第８の実施の形態]
図１２は、本発明の第８の実施の形態に係る画像書込システムを示す。この実施の形態は、第７の実施の形態において、プロジェクタ５２と載置台５３Ａの配置を逆にし、載置台５３Ａを透明載置台５３Ｂとしたものであり、その他の構成は第７の実施の形態と同様である。すなわち、プロジェクタ５２を筐体５１の底部に設置し、透明載置台５３Ｂをプロジェクタ５２の上方に設置している。これに伴って、表示記録媒体２Ｂは、画像書込表示領域２ｅが下になるようにして透明載置台５３Ｂ上にセットする。
【００８１】
透明載置台５３Ｂは、プロジェクタ５２からの画像光が、遮られることなく表示記録媒体２Ｂに到達できるように、透明にしている。また、搬送ローラ５５Ａは、最下段の表示記録媒体２Ｂの下面である表面２ａに当接するように配置している。さらに、表示記録媒体２Ｂの下面から出る表示光３１の一部を窓部５ａに導くため、反射鏡６０を底部近傍に設置している。また、搬送ローラ５５Ａ，５５Ｂ間には、表示記録媒体２Ｂを案内するガイド６１を設置している。
【００８２】
（第８の実施の形態の効果）
この第８の態においては、プロジェクタ５２から表示記録媒体２Ｂに書込パターン光３０が照射されているとき、その表示光３１は、反射鏡６０で反射して窓部５ａに到達する。したがって、書替えの開始から窓部５ａを覗いていれば、表示光３１の内容が瞬間的に変わる状況が発生したか否かにより、表示記録媒体２Ｂの書替えの成否を知ることができる。
【００８３】
［他の実施の形態］
なお、本発明は、上記各実施の形態に限定されず、その要旨を変更しない範囲内で種々な変形が可能である。例えば、その要旨を変更しない範囲内で各実施の形態の構成要素を任意に組み合わせることができる。
【図面の簡単な説明】
【００８４】
【図１】本発明の第１の実施の形態に係る画像書込システムを示す構成図である。
【図２】本発明の第１の実施の形態に係る表示記録媒体の層構成を示す断面図である。
【図３】本発明の第２の実施の形態に係る画像書込システムを示す構成図である。
【図４】本発明の第３の実施の形態に係る画像書込システムを示す構成図である。
【図５】本発明の第３の実施の形態に係る表示記録媒体の層構成を示す断面図である。
【図６】本発明の第４の実施の形態に係る画像書込システムを示す構成図である。
【図７】本発明の第４の実施の形態に係る表示記録媒体の詳細を示し、（ａ）は平面図、（ｂ）は断面図である。
【図８】本発明の第５の実施の形態に係る画像書込システムを示す構成図である。
【図９】本発明の第５の実施の形態に係る表示記録媒体の構成を示し、（ａ）は平面図、（ｂ）は断面図である。
【図１０】本発明の第６の実施の形態に係る画像書込システムを示す構成図である。
【図１１】本発明の第７の実施の形態に係る画像書込システムを示す構成図である。
【図１２】本発明の第８の実施の形態に係る画像書込システムを示す構成図である。
【符号の説明】
【００８５】
１  画像書込システム
２  表示記録媒体
２ａ  表面
２ｂ  裏面
２ｃ  画像書込領域
２ｄ  画像表示領域
２ｅ  画像書込表示領域
３  表示記録媒体
３ａ  確認エリア
４  表示記録媒体
４ａ  検出部
４ｂ  確認エリア
５ａ  窓部
５ｂ  排出口
１０  筐体
１０ａ  窓部
１０ｂ  排出口
１０ｃ  蓋
１０ｄ  窓部
１０ｅ  ヒンジ
１０ｆ  窓部
１１  電磁ソレノイド
１１ａ  アーマチュア
１２  載置台
１３Ａ，１３Ｂ，１３Ｃ  搬送ローラ
１４Ａ，１４Ｂ  押圧ローラ
１５  光導電層
１５  書込部
１６  書込電圧印加電極
１７  書込電圧発生部
１８  制御部
１９Ａ，１９Ｂ  スプリング
２０  リフレッシュ電極
２１  リフレッシュ電圧発生部
２２  電圧印加確認電極
２３  駆動回路
２４  ＬＥＤ
２５  ブザー
３０  書込パターン光
３１  表示光
３２  照明光
５１  筐体
５２  プロジェクタ
５３Ａ  載置台
５３Ｂ  透明載置台
５４  電磁ソレノイド
５４ａ  アーマチュア
５５Ａ，５５Ｂ    搬送ローラ
５６ａ  スプリング
５６  押圧ローラ
５７  書込電圧印加電極
５８  書込電圧発生部
５９  制御部
６０  反射鏡
６１  ガイド
１００  画像書込装置
１０１  媒体ローダ部
１０２  記録部
２０１Ａ，２０１Ｂ  基板
２０２Ａ，２０２Ｂ  透明電極
２０３  液晶層
２０４  光導電層
２０５  光吸収層
２０６  延在部
２０７  受電部
２０８  樹脂充填部
２０９  隔離層
５００  画像書込装置
【図１】
2006146003.tif 000003
【図２】
2006146003.tif 000004
【図３】
2006146003.tif 000005
【図４】
2006146003.tif 000006
【図５】
2006146003.tif 000007
【図６】
2006146003.tif 000008
【図７】
2006146003.tif 000009
【図８】
2006146003.tif 000010
【図９】
2006146003.tif 000011
【図１０】
2006146003.tif 000012
【図１１】
2006146003.tif 000013
【図１２】
2006146003.tif 000014